(57)【要約】      （修正有）【課題】テンプル取り付けが容易でファッション性に富み、良好的な弾性力及び締め付け性を有し、ねじやスプリングを何ら使用することなく、係止接続を介してメガネ枠とで接続構造が形成されるテンプルを提供する。【解決手段】テンプル主体１と、弾性シート２と、嵌めブロック３とを含むテンプルであって、テンプル主体１の先端には互いに平行かつ形状が同一である湾曲状のフックが２つ形成され、弾性シート２には係止溝が形成されており、テンプル主体１のフックが内方から外方へフレーム枠及び弾性シート２の係止溝に同時に係止されることによって接続構造が形成される。フックとシート２の係止溝との係止接続により接続構造が形成されることで、テンプル全体に良好な弾力性及び締め付け性を付与することができる。【選択図】図１
0003196819.tif 000002
【実用新案登録請求の範囲】
【請求項１】
メガネ枠に接続され、テンプル主体と、弾性シートと、嵌めブロックとを含むテンプルであって、
前記弾性シートがテンプル主体の外側に配置され、前記弾性シート及び前記テンプル主体が前記嵌めブロックを介して前記弾性シートの末端に嵌合固定されるように、テンプル主体の先端には互いに平行かつ形状が同一である湾曲状のフックが２つ形成され、前記弾性シートの先端には前記テンプル主体のフック位置に対応して対向する同一の係止溝が２つ形成されており、
前記メガネ枠接続端が前記弾性シートと前記テンプル主体との間に配置されるとともに前記テンプル主体のフックが内方から外方へ前記フレーム枠の係止溝及び前記弾性シートの係止溝に同時に係止されることによって接続構造が形成されるように、前記メガネ枠の両側には前記弾性シートに対応する係止溝であるメガネ枠接続端がそれぞれ形成されており、前記メガネ枠接続端の係止溝は前記弾性シートの係止溝に対応することを特徴とするテンプル。
【請求項２】
メガネ枠に接続され、テンプル主体と、弾性シートと、接続シートと、嵌めブロックとを含むテンプルであって、
前記テンプル主体の先端には互いに平行かつ形状が同一である湾曲状のフックが２つ形成され、前記弾性シートの先端には対向する同一の係止溝が２つ形成されており、
前記接続シートは、前記フレーム枠と接続する貫通孔が２つ形成された横向きシートと、末端に前記弾性シートに対応する係止溝が形成された縦向きシートとが逆Ｌ形のシート状構造に形成されており、
前記弾性シートが前記テンプル主体の外側に配置され、前記弾性シート及び前記テンプル主体が前記嵌めブロックを介して前記弾性シートの末端に嵌合固定されるように、前記弾性シートの係止溝は、前記テンプル主体のフック位置に対応しており、
前記接続シートが前記弾性シートと前記テンプル主体との間に配置されるとともに前記テンプル主体のフックが内方から外方へ前記接続シートの係止溝及び前記弾性シートの係止溝に同時に係止されることによって接続構造が形成されるように、前記接続シートの係止溝は、前記弾性シートの係止溝に対応することを特徴とするテンプル。
【請求項３】
前記フックの湾曲方向は、外方へ湾曲していることを特徴とする請求項１または請求項２に記載のテンプル。
【請求項４】
前記テンプル主体、前記弾性シート、前記嵌めブロック及び前記接続シートは、いずれも超軽量高弾力性金属からなることを特徴とする請求項１または請求項２に記載のテンプル。
【請求項５】
前記嵌めブロックは、半包囲構造の四角枠状であることを特徴とする請求項１または請求項２に記載のテンプル。
【請求項６】
前記テンプル主体の末端にプラスチック製または塑性材料製のチューブが湾曲状に覆設されることで耳掛けが形成されることを特徴とする請求項１または請求項２に記載のテンプル。
【考案の詳細な説明】
【技術分野】
【０００１】
本考案は、テンプルに関し、特に取り付けが容易でファッション性に富み、良好的な弾性力及び締め付け性を有し、ねじやスプリングを何ら使用することなく、係止接続を介してメガネ枠との間で接続構造が形成されるテンプルに関するものである。
【背景技術】
【０００２】
人々は、日常生活においてメガネフレームを選択する場合、視力矯正またはファッション的外観を条件とするのが一般的である。しかしながら、近来、メガネフレームのファッション化、多様化が進んでいる中で、メガネが屈折不正の矯正のみならず、装飾や保護として機能するため、人々は、メガネを選択する場合、メガネの外形に特に拘っている。メガネフレームとしてはメガネ枠とテンプルが主な部分であるため、消費者は、メガネフレームを選択する場合、メガネフレーム全体の外形が外観性やファッション性に富むか否かのほか、メガネフレームとテンプルが快適であるか否かを考慮に入れている。快適性に富むメガネとして、メガネレンズを眼球前方に正確に位置づけさせ、メガネ枠の形状を装着者の頭部形状に合わせる必要がある。さらに、人によって左右の耳の高さや深さがそれぞれ異なるため、メガネ枠は、個人差に応じていつでも調整可能であることが必要となる。装着者が快適になるようにメガネ枠とテンプルが正常の使用過程において変形や損傷を受けにくくするために、長時間装着の過程において皮膚に接触する部分について装着者に不快感または疼痛感を与えてはならない。とにかく、消費者の外観に対する要求と消費能力の向上に伴い、メガネ装着者によるメガネ枠の装着快適性、メガネ枠の形状、テンプルの弾力性や締め付け性、メガネ枠の触感、メガネの調整問題、ないし外形設計の新規性に対する要求は一層向上している。
【０００３】
テンプルは、一定の弾力性を有するとともに、メガネの脱落がしにくくなるように、適当な締め付け力を有することが要求されている。テンプルの設計において直面する最大の難点は、テンプルの変形や締め付け過ぎによる不快感である。従って、メガネ枠の金属部分とテンプルとの弾性バランスを維持することは極めて重要な課題となっている。
【考案の概要】
【考案が解決しようとする課題】
【０００４】
本考案は、取り付けが容易でファッション性に富み、良好的な弾性力及び締め付け性を有し、ねじやスプリングを何ら使用することなく、係止接続を介してメガネ枠との間で接続構造が形成されるテンプルを提供することを目的とする。
【課題を解決するための手段】
【０００５】
本考案は、テンプル主体と、弾性シートと、嵌めブロックとを含むテンプルであって、弾性シートがテンプル主体の外側に配置され、弾性シート及びテンプル主体が嵌めブロックを介して弾性シートの末端に嵌合固定されるように、テンプル主体の先端には互いに平行かつ形状が同一である湾曲状のフックが２つ形成され、弾性シートの先端にはテンプル主体のフック位置に対応し、対向する同一の係止溝が２つ形成されており、メガネ枠接続端が弾性シートとテンプル主体との間に配置されるとともにテンプル主体のフックが内方から外方へフレーム枠の係止溝及び弾性シートの係止溝に同時に係止されることによって接続構造が形成されるように、メガネ枠の両側には弾性シートに対応する係止溝であるメガネ枠接続端がそれぞれ形成されており、メガネ枠接続端の係止溝は弾性シートの係止溝に対応することを特徴とするテンプルを提供する。
【０００６】
また、本考案は、テンプル主体と、弾性シートと、接続シートと、嵌めブロックとを含むテンプルであって、テンプル主体の先端には互いに平行かつ形状が同一である湾曲状のフックが２つ形成され、弾性シートの先端には対向する同一の係止溝が２つ形成されており、接続シートは、フレーム枠と接続する貫通孔が２つ形成された横向きシートと、末端に弾性シートに対応する係止溝が形成された縦向きシートとが逆Ｌ形のシート状構造に形成されており、弾性シートがテンプル主体の外側に配置され、弾性シート及びテンプル主体が嵌めブロックを介して弾性シートの末端に嵌合固定されるように、弾性シートの係止溝は、テンプル主体のフック位置に対応しており、接続シートが弾性シートとテンプル主体との間に配置されるとともにテンプル主体のフックが内方から外方へ接続シートの係止溝及び弾性シートの係止溝に同時に係止されることによって接続構造が形成されるように、接続シートの係止溝は、弾性シートの係止溝に対応することを特徴とするテンプルを提供する。
【０００７】
好ましくは、フックの湾曲方向は、外方へ湾曲している。
【０００８】
好ましくは、テンプル主体、弾性シート、嵌めブロック及び接続シートは、いずれも超軽量高弾力性金属からなる。
【０００９】
好ましくは、嵌めブロックは、半包囲構造の四角枠状である。
【００１０】
好ましくは、テンプル主体の末端にプラスチック製または塑性材料製のチューブが湾曲状に覆設されることで耳掛けが形成される。
【考案の効果】
【００１１】
本考案は、すべての部品が超軽量高弾力性材質からなるため、より耐用かつ耐腐食になり、装着の快適性が向上するとともに視覚効果やファッション性が向上している。さらに、本考案は、フックと弾性シートの係止溝との係合接続により接続構造が形成されるため、テンプル全体に良好的な弾力性及び締め付け性を有し、消費者に簡約、快適、ファッション的な装着や外観を提供することができる。
【図面の簡単な説明】
【００１２】
【図１】本考案に係る実施例１の立体構造模式図である。
【図２】本考案に係る実施例１の側面構造模式図である。
【図３】本考案に係る実施例１の分解構造模式図である。
【図４】本考案に係る実施例１においてメガネ枠と接続してメガネフレームが形成される構造模式図である。
【図５】本考案に係る実施例２の立体構造模式図である。
【図６】本考案に係る実施例２の分解構造模式図である。
【図７】本考案に係る実施例２においてメガネ枠と接続してメガネフレームが形成される構造模式図である。
【考案を実施するための形態】
【００１３】
以下、本考案の具体的な実施方法について図面を参照しながら説明する。
【００１４】
＜実施例１＞
実施例１に係るテンプルは、ネジを何ら使用することなく、メガネ枠と接続して接続構造が形成されるテンプルである。
【００１５】
図１は、本考案に係る実施例１の立体構造模式図である。図２は、本考案に係る実施例１の側面構造模式図である。図３は、本考案に係る実施例１の分解構造模式図である。図４は、本考案に係る実施例１においてメガネ枠と接続してメガネフレームが形成される構造模式図である。
【００１６】
図１〜図４に示すように、本考案は、いずれも超軽量高弾力性金属（例えばアルミニウム合金、チタン合金等）からなるテンプル主体１、弾性シート２及び嵌めブロック３を含むテンプルである。テンプル主体１の先端には互いに平行かつ形状が同一である湾曲状のフック１１が２つ形成される。フック１１の湾曲方向は外方へ湾曲している。弾性シート２の先端には対向する同一の係止溝２１が２つ形成されている。弾性シート２の係止溝２１はテンプル主体１のフック１１の位置に対応する。弾性シート２は、テンプル主体１の外側に配置される。弾性シート２及びテンプル主体１は嵌めブロック３を介して弾性シート２の末端に嵌合固定される。嵌めブロック３は、半包囲構造の四角枠状であり、弾性シート２及びテンプル主体１を安定的に嵌合接続することができる。さらに、メガネ枠４の両側には弾性シート２に対応する係止溝２１であるメガネ枠接続端４１がそれぞれ形成されている。メガネ枠接続端４１の係止溝２１は弾性シート２の係止溝２１に対応する。メガネ枠接続端４１は、弾性シート２とテンプル主体１との間に配置されることにより、テンプル主体１のフック１１は、内方から外方へメガネ枠４及び弾性シート２の係止溝２１に同時に係止されることによって接続構造が形成される。テンプル主体１の末端にプラスチック製または塑性材料製のチューブが湾曲状に覆設されることで耳掛けが形成される。
【００１７】
テンプルを開放する場合、テンプル主体１を外方へ拡開させると、メガネ枠接続端４１がテンプル主体１のフック１１とメガネ枠接続端４１の係止溝２１との係合点を接続構造点として外方へ回転拡開した後、弾性シート２に直接当接し、弾性シート２もテンプル主体１のフック１１とメガネ枠接続端４１の係止溝２１との接続点を接続構造点として外方へ回転拡開するため、弾性変形が発生する。テンプル主体１の湾曲状のフック１１のフック本体の深さが弾性シート２及びメガネ枠接続端４１の厚さと一致するため、拡開後のテンプルのフック１１の表面は、弾性シート２の外表面と面一となり、外部に突出することはない。テンプルを折り畳み収容する場合、テンプル主体１を内方へ直接折り畳み収容すると、弾性シート２は、フック１１とメガネ枠接続端４１の係止溝２１との組み合わせ点を接続構造点として内方へ回転して折り畳み収容し、元の状態に復帰する。このように、構造全体として一つのネジも必要とせず、テンプルをメガネ枠４と接続することができる。また、テンプル主体１のフック１１は、弾性シート２とメガネ枠接続端４１の係止溝２１とで接続構造が形成されるため、テンプル全体に良好的な弾力性及び締め付け性を付与することができる。
【００１８】
＜実施例２＞
実施例２に係るテンプルは、係止針でメガネ枠と接続する係止接続により接続構造が形成されるテンプルである。
【００１９】
図５は、本考案に係る実施例２の立体構造模式図である。図６は、本考案に係る実施例２の分解構造模式図である。図７は、本考案に係る実施例２においてメガネ枠と接続してメガネフレームが形成される構造模式図である。
【００２０】
図５〜図７に示すように、本考案は、いずれも超軽量高弾力性金属（例えばアルミニウム合金、チタン合金等）からなるテンプル主体１、弾性シート２、接続シート５、及び嵌めブロック３を含むテンプルである。テンプル主体１の先端には互いに平行かつ形状が同一である湾曲状のフック１１が２つ形成されている。湾曲状のフック１１の湾曲方向は外方へ湾曲している。弾性シート２の先端には対向する同一の係止溝２１が２つ形成されている。接続シート５は、字形のシート状構造であり、即ち、横向きシート５１と縦向きシート５２とが逆Ｌ状に形成されてなるシート状構造である。横向きシート５１の上にはメガネ枠４と接続するための貫通孔５１１が２つ形成されている。メガネ枠４の両側接続端には、接続シート５の横向きシート５１の貫通孔５１１に合わせるための貫通孔（図示せず）が形成されている。ホチキス針状の係止針６によりメガネ枠４の両側接続端にある貫通孔からテンプルの接続シート５の横向きシート５１上の貫通孔５１１を貫通して、専用の冶具によりホチキス針状の係止針６により横向きシート５１の内部に係合することで、テンプルとメガネ枠４との接続を実現する。縦向きシート５２の末端には弾性シート２に対応する係止溝２１が形成されている。弾性シート２の係止溝２１は、テンプル主体１のフック１１に対応する。弾性シート２は、テンプル主体１の外側に配置される。弾性シート２及びテンプル主体１は嵌めブロック３を介して弾性シート２の末端に嵌合固定される。嵌めブロック３は、半包囲構造の四角枠状であり、弾性シート２及びテンプル主体１を安定的に嵌合接続することができる。さらに、接続シート５の係止溝２１が弾性シート２の係止溝２１に対応し、接続シート５が弾性シート２とテンプル主体１との間に配置されることにより、テンプル主体１のフック１１は、内方から外方へ接続シート５及び弾性シート２の係止溝２１に同時に係止されることによって接続構造が形成される。また、テンプル主体１の末端にプラスチック製または塑性材料製のチューブが湾曲状に覆設されることで耳掛けが形成される。
【００２１】
テンプルを開放する場合、テンプル主体１を外方へ拡開させるだけで、接続シート５の縦向きシート５２は、テンプル主体１のフック１１と接続シート５の係止溝２１との係合点を接続構造点として外方へ回転し弾性シート２を拡開させ、弾性シート２は、テンプル主体１のフック１１と接続シート５の係止溝２１との接続点を接続構造点として外方へ回転拡開するため、弾性変形が発生する。テンプル主体１の湾曲状のフック１１のフック本体の深さが弾性シート２及びメガネ枠接続端４１の厚さと一致するため、拡開後のテンプルのフック１１の表面は、弾性シート２の外表面と面一となり、外部に突出することはない。テンプルを折り畳み収容する場合、テンプル主体１を内方へ直接折り畳み収容すると、弾性シート２は、フック１１と接続シート５の係止溝２１との組み合わせ点を接続構造点として内方へ回転して折り畳み収容し、元の状態に復帰する。このように、本実施例の構造は、接続シート５の横向きシート５１を係止針６またはネジでメガネ枠４に接続固定するだけで、完全なメガネフレームの装着が完了する。また、接続構造は、テンプル主体１のフック１１と弾性シート２、接続シート５の係止溝２１との係止接続により構成されるため、テンプル全体に良好的な弾力性及び締め付け性を付与することができる。
【００２２】
上述したものは、本考案の好ましい実施例に過ぎず、本考案の実用新案登録請求の範囲を限定するためのものではなく、当分野の技術者であれば、本考案の明細書及び図面内容に基づいてなされた均等な変更および付加は、いずれも本考案の実用新案登録請求の範囲内に含まれるものとする。
【符号の説明】
【００２３】
１  テンプル主体
１１  フック
２  弾性シート
２１  係止溝
３  嵌めブロック
４  メガネ枠
４１  メガネ枠接続端
５  接続シート
５１  横向きシート
５１１  貫通孔
５２  縦向きシート
６  係止針
【図１】
0003196819.tif 000003
【図２】
0003196819.tif 000004
【図３】
0003196819.tif 000005
【図４】
0003196819.tif 000006
【図５】
0003196819.tif 000007
【図６】
0003196819.tif 000008
【図７】
0003196819.tif 000009
【手続補正書】
【提出日】平成27年1月29日(2015.1.29)
【手続補正１】
【補正対象書類名】実用新案登録請求の範囲
【補正対象項目名】全文
【補正方法】変更
【補正の内容】
【実用新案登録請求の範囲】
【請求項１】
メガネ枠に接続され、テンプル主体と、弾性シートと、嵌めブロックとを含むテンプルであって、
前記弾性シートがテンプル主体の外側に配置され、前記弾性シート及び前記テンプル主体が前記嵌めブロックを介して前記弾性シートの末端に嵌合固定されるように、テンプル主体の先端には互いに平行かつ形状が同一である湾曲状のフックが２つ形成され、前記弾性シートの先端には前記テンプル主体のフック位置に対応して対向する同一の係止溝が２つ形成されており、
前記メガネ枠接続端が前記弾性シートと前記テンプル主体との間に配置されるとともに前記テンプル主体のフックが内方から外方へ前記メガネ枠の係止溝及び前記弾性シートの係止溝に同時に係止されることによって接続構造が形成されるように、前記メガネ枠の両側には前記弾性シートに対応する係止溝であるメガネ枠接続端がそれぞれ形成されており、前記メガネ枠接続端の係止溝は前記弾性シートの係止溝に対応することを特徴とするテンプル。
【請求項２】
メガネ枠に接続され、テンプル主体と、弾性シートと、接続シートと、嵌めブロックとを含むテンプルであって、
前記テンプル主体の先端には互いに平行かつ形状が同一である湾曲状のフックが２つ形成され、前記弾性シートの先端には対向する同一の係止溝が２つ形成されており、
前記接続シートは、前記メガネ枠と接続する貫通孔が２つ形成された横向きシートと、末端に前記弾性シートに対応する係止溝が形成された縦向きシートとが逆Ｌ形のシート状構造に形成されており、
前記弾性シートが前記テンプル主体の外側に配置され、前記弾性シート及び前記テンプル主体が前記嵌めブロックを介して前記弾性シートの末端に嵌合固定されるように、前記弾性シートの係止溝は、前記テンプル主体のフック位置に対応しており、
前記接続シートが前記弾性シートと前記テンプル主体との間に配置されるとともに前記テンプル主体のフックが内方から外方へ前記接続シートの係止溝及び前記弾性シートの係止溝に同時に係止されることによって接続構造が形成されるように、前記接続シートの係止溝は、前記弾性シートの係止溝に対応することを特徴とするテンプル。
【請求項３】
前記フックの湾曲方向は、外方へ湾曲していることを特徴とする請求項１または請求項２に記載のテンプル。
【請求項４】
前記テンプル主体、前記弾性シート及び前記嵌めブロックは、いずれも超軽量高弾力性金属からなることを特徴とする請求項１に記載のテンプル。
【請求項５】
前記嵌めブロックは、半包囲構造の四角枠状であることを特徴とする請求項１または請求項２に記載のテンプル。
【請求項６】
前記テンプル主体の末端にプラスチック製または塑性材料製のチューブが湾曲状に覆設されることで耳掛けが形成されることを特徴とする請求項１または請求項２に記載のテンプル。
【請求項７】
前記テンプル主体、前記弾性シート、前記嵌めブロック及び前記接続シートは、いずれも超軽量高弾力性金属からなることを特徴とする請求項２に記載のテンプル。